(57)【特許請求の範囲】
【請求項１】
耕耘軸（３２）に一体的に取り付けるディスク耕耘爪（３６）の一側又は左右両側部に、耕耘軸（３２）に遊転自在に取り付ける遊転ディスク（３７）を設け、ディスク耕耘爪（３６）と遊転ディスク（３７）の外周部を被覆する上部カバー（３８）を設け、上部カバー（３８）の後端部に後部カバー（３９）を軸支する構成とした部分ロータリ装置（２６）を耕耘軸（３２）に沿って複数設けたことを特徴とする農用トラクタのロータリ耕耘装置。
【発明の詳細な説明】
【０００１】
【発明の属する技術分野】
この発明は、農用トラクタのロータリ耕耘装置に関する。
【０００２】
【従来技術】
従来の圃場の播種部分だけ耕耘する部分ロータリ耕耘装置２６は、図７に示すように次ぎのように構成されていた。即ち、トラクタから動力の伝達される伝動ボックス２７、伝動ボックス２７から左右両側に延出していている左・右伝動筒２８，２８、左伝動筒２８に内装されている耕耘伝動軸、サイド伝動ケース２９、サイド伝動ケース２９に内装されている耕耘伝動装置（図示省略）、サイド支持板３０、サイド伝動ケース２９及びサイド支持板３０の上下中間部に連結されている中間筒３１、サイド伝動ケース２９及びサイド支持板３０の下端部に軸支されている耕耘軸３２、耕耘軸３２に例えば３個設けられている部分耕耘爪３３，３３，…、部分耕耘爪３３，３３，…を被覆する部分耕耘カバー３４，３４，…、部分耕耘カバー３４の後端部に取り付けられている部分リヤーカバー３５等により構成されている。
【０００３】
【０００４】
【発明が解決しようとする問題点】
前記のような部分ロータリ耕耘装置２６で耕耘作業をすると、部分的に幅の狭いところの耕耘作業はできるものの、図７（３）に示すように、部分耕耘したところから左右両側に耕耘土がもれ、部分耕耘したところの耕耘土が少なくなり、播種部に土が不足し適正な播種作業ができないという不具合が発生していた。そこで、この発明ではこのような不具合を解消しようとするものである。
【０００５】
【問題を解決するための手段】
このような技術的課題を解決するための請求項１の発明は、耕耘軸（３２）に一体的に取り付けるディスク耕耘爪（３６）の一側又は左右両側部に、耕耘軸（３２）に遊転自在に取り付ける遊転ディスク（３７）を設け、ディスク耕耘爪（３６）と遊転ディスク（３７）の外周部を被覆する上部カバー（３８）を設け、上部カバー（３８）の後端部に後部カバー（３９）を軸支する構成とした部分ロータリ装置（２６）を耕耘軸（３２）に沿って複数設けたことを特徴とする。
【０００６】
【発明の作用及び効果】
部分ロータリ耕耘装置２６のディスク耕耘爪３６は耕耘軸３２と一体で高速で回転し、遊転ディスク３７は耕耘土の移動につれてゆっくり回転しながら部分的に耕耘作業をしていく。このとき、ディスク耕耘爪３６と遊転ディスク３７との回転差により、ディスク間の土詰まりを防止しながら円滑に適正深さの耕耘作業をすることができ、また、ディスク耕耘爪３６及び遊転ディスク３７が側部カバーの役割を果たして側方への土漏れを防止し、部分耕耘をしたところに耕耘土を多く残しながら部分耕耘作業をすることができる。
【０００８】
【０００９】
【００１０】
【００１１】
【発明の実施の形態】
以下、本発明の一実施例の形態について説明する。図１〜図６について説明する。トラクタの機体の後部に上部リンク１及び下部リンク２，２を昇降可能に連結し、上部リンク１及び下部リンク２，２の後端にヒッチ３をピン連結し、機体の後上部に上下回動自在に設けられているリフトアーム（図示省略）にリフトロッド（図示省略）の上端を連結し、リフトロッドの下端を下部リンク２，２に連結し、昇降油圧シリンダ（図示省略）の伸縮によりリフトアームを上下回動し、上部リンク１及び下部リンク２，２を上下回動し、ヒッチ３を昇降させる構成である。
【００１２】
ヒッチ３のフレーム構成は、背面視で逆Ｕ字形の上部枠体３ａと、上部枠体３ａの下端部に左右方向に沿って連結されている下部枠体３ｂにより構成されている。この上部枠体３ａの上端部には凹部で構成されている上連結部４を設け、下部枠体３ｂの左右両側部に取り付けた支持板５には、凹部からなる下連結部６，６を設け、下部枠体３ｂの中央部上方にジョイントホルダ７を設けている。
【００１３】
前記支持板５にはロックピン８により左右のロックアーム９，９を回動自在に軸支すると共に、このロックアーム９，９にはバネ１０，１０を介装し、下向きの凹部に構成しているロック部９ａを下方に押圧付勢している。しかして、操作レバー１１，左右の作動ロッド１２，１２を介して、ロックアーム９，９のロック部９ａを上方に回動すると、下連結部６，６の凹部上方が開放し、ロータリ耕耘装置１３等の作業機の下部連結部１４，１４を下連結部６，６の凹部に嵌合支持し、操作レバー１１を開放すると、ロックアーム９，９がバネ１０，１０により下方に回動し、ロック部９ａ，９ａが下連結部６，６の凹部を閉鎖しロックする構成である。
【００１４】
次に、ジョイントホルダ７の支持構成について説明する。下部枠体３ｂの左右方向中央部に左右のジョイント支持板１５，１５を取り付け、図５に示すように、ジョイント支持板１５に調節板１６，１６を２本のロックボルト１８，１８により固着する構成とし、この調節板１６，１６を左右に反転して取り付けることにより、凹部１６ａ，１６ａを前後に調節し、側面視において前記上連結部４の凹部からの鉛直線に対して調節板１６，１６の凹部１６ａ，１６ａが前後に調節できる構成であり、この調節板１６，１６にジョイントホルダ７を取り付けている。なお、ジョイント支持板１５，１５に図４に示すように、調節板１６，１６を左右方向の調節ピン１６ｂ回りに前後回動自在に支持し、ジョイントホルダ７を前後位置に調節する構成としてもよい。
【００１５】
なお、ジョイントホルダ７は周知の構成で、例えば、図６（１）に示すように、ジョイント枠体７ａ、ジョイント枠体７ａに４個のバネ７ｂ，７ｂ，…により支持されている支持筒７ｃ、ジョイント枠体７ａから左右両側に突出している支持ピン７ｄ，７ｄにより構成されていて、支持ピン７ｄ，７ｄを調節板１６，１６の凹部１６ａ，１６ａに嵌合支持する。しかして、調節板１６，１６が前後に調節されると、ジョイントホルダ７は前後に調節される構成で、ヒッチ３に連結されたロータリ耕耘装置１３側の動力取入軸２０が連結構成の相違により前後に移動しても、ジョイントホルダ７を動力取入軸２０の側方位置に移動調節することができる。
【００１６】
トラクタには標準型のロータリ耕耘装置１３を連結して耕耘作業をするのが通常である。この場合には、図１に示すように、ロータリ耕耘装置１３には標準長さの標準型のトップリンクマスト１９が取り付けられていて、このトップリンクマスト１９と動力取入軸２０とが略同じように前方に突出しており、ロータリ耕耘装置１３におけるトップリンクマスト１９の上部連結部２１をヒッチ３側の上連結部４の凹部に嵌合連結し、下部連結部２２，２２を下連結部６，６の凹部に嵌合連結し、トラクタ後部のＰＴＯ軸（図示省略）とロータリ耕耘装置１３の動力取入軸２０との間を、図６（２）に示すような前後にユニバーサルジョイント２４，２４のある伸縮できる屈折伝動軸２５を介して伝動する。
【００１７】
この場合には、ヒッチ３に対して屈折伝動軸２５の後側のユニバーサルジョイント２４が後方に位置した状態で動力取入軸２０に連結されているので、ジョイントホルダ７を後側に調節して、屈折伝動軸２５の後部をジョイントホルダ７で支持し動力を伝動しながら耕耘作業をする。
【００１８】
また、標準型よりも少し大型のロータリ耕耘装置１３で作業をする場合には、図２に示すように、標準型のトップリンクマスト１９よりも前方への突出長さの短いトップリンクマスト１９ａとする。短いトップリンクマスト１９ａの場合には、標準型のトップリンクマスト１９の場合よりも動力取入軸２０の前端部が前方に突出した構成なる。
【００１９】
しかして、ヒッチ３の上連結部４の凹部に短いトップリンクマスト１９ａの上部連結部２１を嵌合連結し、下連結部６，６の凹部に下部連結部２２，２２を嵌合連結してロータリ耕耘装置１３を連結し、トラクタ後部のＰＴＯ軸（図示省略）とロータリ耕耘装置１３の動力取入軸２０との間を伸縮自在の屈折伝動軸２５を介して連結し、前側に調節したジョイントホルダ７により屈折伝動軸２５の後部を支持する。すると、ヒッチ３に対して動力取入軸２０及び屈折伝動軸２５の後部が接近した状態となるが、前側に調節したジョイントホルダ７により屈折伝動軸２５の後部を支持して円滑に動力を伝動しながら耕耘作業をすることができる。
【００２０】
前記のように、この実施例では、ジョイントホルダ７をヒッチ３に対して前後方向に調節できる構成としたので、大小二種のロータリ耕耘装置１３を前方への突出度の異なるトップリンクマスト１９，１９ａにより一つのトラクタに連結する場合にも、トラクタの前後バランスを比較的良好に維持しながら、前後調節できるジョイントホルダ７を介して屈折伝動軸２５の後部を支持し円滑に動力を伝達しながら耕耘作業をすることができる。
【００２１】
次に、図７〜図８に基づきロータリ耕耘装置１３の他の実施例について説明する。従来の圃場の播種部分だけ耕耘する部分ロータリ耕耘装置２６は、図７に示すように次ぎのように構成されていた。即ち、トラクタから動力の伝達される伝動ボックス２７、伝動ボックス２７から左右両側に延出していている左・右伝動筒２８，２８、左伝動筒２８に内装されている耕耘伝動軸、サイド伝動ケース２９、サイド伝動ケース２９に内装されている耕耘伝動装置（図示省略）、サイド支持板３０、サイド伝動ケース２９及びサイド支持板３０の上下中間部に連結されている中間筒３１、サイド伝動ケース２９及びサイド支持板３０の下端部に軸支されている耕耘軸３２、耕耘軸３２に例えば３個設けられている部分耕耘爪３３，３３，…、部分耕耘爪３３，３３，…を被覆する部分耕耘カバー３４，３４，…、部分耕耘カバー３４の後端部に取り付けられている部分リヤーカバー３５等により構成されている。
【００２２】
前記のような部分ロータリ耕耘装置２６で耕耘作業をすると、部分的に幅の狭いところの耕耘作業はできるものの、図７（３）に示すように、部分耕耘したところから左右両側に耕耘土がもれ、部分耕耘したところの耕耘土が少なくなり、播種部に土が不足し適正な播種作業ができないという不具合が発生していた。そこで、この実施例ではこのような不具合を解消しようとするものである。
【００２３】
そこで、この実施例では、部分ロータリ耕耘装置２６を次ぎのように構成した。耕耘軸３２の部分耕耘装置の構成部分には、その一側部に耕耘軸３２に一体的に取り付けられているディスク耕耘爪３６（ディスクとディスクの外周に設けられている耕耘爪とで構成されている。）と、他側部の耕耘軸３２に遊転自在に取り付けられている遊転ディスク３７と、ディスク耕耘爪３６及び遊転ディスク３７の外周部を被覆する上部カバー３８と、上部カバー３８の後端部に軸支されている後部カバー３９により構成されている。なお、ディスク耕耘爪３６の左右両側部に遊転ディスク３７，３７を配置する構成としてもよい。
【００２４】
前記のように構成したので、部分ロータリ耕耘装置２６のディスク耕耘爪３６は耕耘軸３２と一体で高速で回転し、遊転ディスク３７は耕耘土の移動につれてゆっくり回転しながら部分的に耕耘作業をしていく。このとき、ディスク耕耘爪３６と遊転ディスク３７との回転差により、ディスク間の土詰まりを防止しながら円滑に適正深さの耕耘作業をすることができ、また、ディスク耕耘爪３６及び遊転ディスク３７が側部カバーの役割を果たして側方への土漏れを防止し、部分耕耘をしたところに耕耘土を多く残しながら部分耕耘作業をすることができる。
【図面の簡単な説明】
【図１】  要部の側面図である。
【図２】  要部の側面図である。
【図３】  要部の背面図である。
【図４】  要部の側面図である。
【図５】  要部の側面図である。
【図６】  要部の側面図、背面図である。
【図７】  要部の背面図、斜視図である。
【図８】  要部の背面図、斜視図ある。
【符号の説明】
１  上部リンク
２  下部リンク
３  ヒッチ
３ａ  上部枠体
３ｂ  下部枠体
４  上連結部
５  支持板
６  下連結部
７  ジョイントホルダ
８  ロックピン
９  ロックアーム
９ａ  ロック部
１０  バネ
１１  操作レバー
１２  作動ロッド
１３  ロータリ耕耘装置
１４  下部連結部
１５  ジョイント支持板
１６  調節板
１７  調節ピン
１８  ロックボルト
１９  トップリンクマスト
２０  動力取入軸
２１  上部連結部
２２  下部連結部
２４  ユニバーサルジョイント
２５  屈折伝動軸
【図１】
0004470314.tif 000002
【図２】
0004470314.tif 000003
【図３】
0004470314.tif 000004
【図４】
0004470314.tif 000005
【図５】
0004470314.tif 000006
【図６】
0004470314.tif 000007
【図７】
0004470314.tif 000008
【図８】
0004470314.tif 000009